(57)【要約】【課題】冷熱処理の完了時にバッテリの充電も完了している商品運搬可能なコンテナとして操作者が確実に把握できること。【解決手段】電源供給線を含みコンテナ１に接続される通信接続線Ｌ１ａ〜Ｌ２ｄと、コンテナ１に対する蓄冷熱処理の状態を表示する操作表示部４４と、冷熱配管Ｌ２ａ〜Ｌ２ｄ及び通信接続線Ｌ１ａ〜Ｌ１ｄがコンテナ１に接続された場合、冷熱配管Ｌ２ａ〜Ｌ２ｄを介してコンテナ１の蓄冷熱を開始するとともに、通信接続線Ｌ１ａ〜Ｌ１ｄを介してコンテナ１内のバッテリ１１の充電を開始したバッテリ１１の充電情報を取得し、コンテナ１に対する蓄冷熱処理及びバッテリ１１の充電が共に完了した場合、蓄冷熱処理が完了した旨の表示を操作表示部４４に対して行う制御部Ｃと、を備える。【選択図】図２
2016080244.tif 000002
【特許請求の範囲】
【請求項１】
冷熱媒体によって蓄冷熱材を蓄冷熱する冷熱器を有し、蓄冷熱された蓄冷熱材によって保冷熱対象物が収容される保冷熱空間を所望温度範囲に保持するコンテナに、前記冷熱媒体が流動する冷熱配管を接続し、該冷熱配管を介して前記冷熱器に前記冷熱媒体を流入して前記蓄冷熱材を蓄冷熱するコンテナ冷熱装置であって、
電源供給線を含み前記コンテナに接続される通信接続線と、
前記コンテナに対する蓄冷熱処理の状態を表示する表示部と、
前記コンテナに対する蓄冷熱処理及び前記コンテナ内のバッテリの充電が共に完了した場合、前記蓄冷熱処理が完了した旨の表示を前記表示部に対して行う制御部と、
を備えたことを特徴とするコンテナ冷熱装置。
【請求項２】
前記制御部は、前記冷熱配管及び前記通信接続線が前記コンテナに接続された場合、前記冷熱配管を介して前記コンテナの蓄冷熱を開始するとともに、前記通信接続線を介して前記コンテナ内のバッテリの充電を開始したバッテリの充電情報を取得し、前記コンテナに対する蓄冷熱処理及び前記バッテリの充電が共に完了した場合、前記蓄冷熱処理が完了した旨の表示を前記表示部に対して行うことを特徴とする請求項１に記載のコンテナ冷熱装置。
【請求項３】
前記制御部は、前記コンテナに対する蓄冷熱処理中は前記表示部を点滅表示し、前記コンテナに対する蓄冷熱処理及び前記バッテリの充電が共に完了した場合、前記表示部を点灯表示に変更することを特徴とする請求項１または２に記載のコンテナ冷熱装置。
【請求項４】
冷熱媒体によって蓄冷熱材を蓄冷熱する冷熱器を有し、蓄冷熱された蓄冷熱材によって保冷熱対象物が収容される保冷熱空間を所望温度範囲に保持するコンテナに、前記冷熱媒体が流動する冷熱配管を接続し、該冷熱配管を介して前記冷熱器に前記冷熱媒体を流入して前記蓄冷熱材を蓄冷熱するコンテナ冷熱装置の表示制御方法であって、
前記コンテナに対する蓄冷熱処理及び前記コンテナ内のバッテリの充電が共に完了した場合、前記蓄冷熱処理が完了した旨の表示を行うことを特徴とするコンテナ冷熱装置のコンテナ表示制御方法。
【請求項５】
前記冷熱配管を介した前記コンテナの蓄冷熱処理の開始後、前記コンテナ内のバッテリの充電を開始したバッテリの充電情報を取得し、前記コンテナに対する蓄冷熱処理及び前記バッテリの充電が共に完了した場合、前記蓄冷熱処理が完了した旨の表示を行うことを特徴とする請求項４に記載のコンテナ冷熱装置のコンテナ表示制御方法。
【発明の詳細な説明】
【技術分野】
【０００１】
本発明は、冷熱媒体によって蓄冷熱材を蓄冷熱する冷熱器を有し、蓄冷熱された蓄冷熱材によって保冷熱対象物が収容される保冷熱空間を所望温度範囲に保持するコンテナに、前記冷熱媒体が流動する冷熱配管を接続し、該冷熱配管を介して前記冷熱器に前記冷熱媒体を流入して前記蓄冷熱材を蓄冷熱するコンテナ冷熱装置及びコンテナ冷熱装置のコンテナ表示制御方法に関し、特に、冷熱処理の完了時にバッテリの充電も完了している商品運搬可能なコンテナとして操作者が確実に把握することができるコンテナ冷熱装置及びコンテナ冷熱装置のコンテナ表示制御方法に関する。
【背景技術】
【０００２】
従来、生鮮食品等、冷蔵や冷凍が必要な物品の輸送に用いられる保冷庫（保冷コンテナ）としては、収納庫本体と、庫内を熱媒体により冷却する熱交換器と、この熱交換器から庫外の熱源機に亘り熱媒体を流動させる着脱自在な接続手段とを備えた可動式の収納庫がある。これによって、収納庫内の収納スペースを広くすることができるとともに、軽量化を図ることができる。
【０００３】
特許文献１には、上述した保冷庫内の送風器を駆動可能なバッテリを備え、保冷庫に設けられた表示器に、蓄冷中、蓄冷完了などの表示を行うものが記載されている。また、特許文献２には、蓄冷剤及び冷凍機を備えた蓄冷型保冷庫に蓄冷完了ランプを備え、この蓄冷完了ランプによって蓄冷完了を表示するものが記載されている。
【先行技術文献】
【特許文献】
【０００４】
【特許文献１】特開２０００−２３０７７１号公報
【特許文献２】特開２００２−１６２１４７号公報
【発明の概要】
【発明が解決しようとする課題】
【０００５】
ところで、保冷庫の熱交換器に熱媒体を流動させて蓄冷剤の冷却処理を行い、その後、蓄冷剤のみで庫内の冷却状態を維持する保冷庫は、商品運搬中の温度状態を管理するために温度センサや扉開閉センサを有し、温度センサや扉開閉センサの検出履歴を保持するためのバッテリが搭載されている。このバッテリは、商品運搬が終了した保冷庫に対する冷却処理を行う際、同時に、商品運搬中の履歴情報を取得するとともにバッテリの充電を行う。
【０００６】
ここで、保冷庫の冷却処理が完了しても、バッテリの充電が完了していない場合、商品運搬中の履歴情報を取得することができなくなる場合が発生する。バッテリの充電が完了していない保冷庫は、商品運搬に用いられる保冷庫としての条件を満たさないことになる。
【０００７】
本発明は、上記に鑑みてなされたものであって、冷熱処理の完了時にバッテリの充電も完了している商品運搬可能なコンテナとして操作者が確実に把握することができるコンテナ冷熱装置及びコンテナ冷熱装置のコンテナ表示制御方法を提供することを目的とする。
【課題を解決するための手段】
【０００８】
上述した課題を解決し、目的を達成するために、本発明にかかるコンテナ冷熱装置は、冷熱媒体によって蓄冷熱材を蓄冷熱する冷熱器を有し、蓄冷熱された蓄冷熱材によって保冷熱対象物が収容される保冷熱空間を所望温度範囲に保持するコンテナに、前記冷熱媒体が流動する冷熱配管を接続し、該冷熱配管を介して前記冷熱器に前記冷熱媒体を流入して前記蓄冷熱材を蓄冷熱するコンテナ冷熱装置であって、電源供給線を含み前記コンテナに接続される通信接続線と、前記コンテナに対する蓄冷熱処理の状態を表示する表示部と、前記コンテナに対する蓄冷熱処理及び前記コンテナ内のバッテリの充電が共に完了した場合、前記蓄冷熱処理が完了した旨の表示を前記表示部に対して行う制御部と、を備えたことを特徴とする。
【０００９】
また、本発明にかかるコンテナ冷熱装置は、上記の発明において、前記制御部は、前記冷熱配管及び前記通信接続線が前記コンテナに接続された場合、前記冷熱配管を介して前記コンテナの蓄冷熱を開始するとともに、前記通信接続線を介して前記コンテナ内のバッテリの充電を開始したバッテリの充電情報を取得し、前記コンテナに対する蓄冷熱処理及び前記バッテリの充電が共に完了した場合、前記蓄冷熱処理が完了した旨の表示を前記表示部に対して行うことを特徴とする。
【００１０】
また、本発明にかかるコンテナ冷熱装置は、上記の発明において、前記制御部は、前記コンテナに対する蓄冷熱処理中は前記表示部を点滅表示し、前記コンテナに対する蓄冷熱処理及び前記バッテリの充電が共に完了した場合、前記表示部を点灯表示に変更することを特徴とする。
【００１１】
また、本発明にかかるコンテナ冷熱装置のコンテナ表示制御方法は、冷熱媒体によって蓄冷熱材を蓄冷熱する冷熱器を有し、蓄冷熱された蓄冷熱材によって保冷熱対象物が収容される保冷熱空間を所望温度範囲に保持するコンテナに、前記冷熱媒体が流動する冷熱配管を接続し、該冷熱配管を介して前記冷熱器に前記冷熱媒体を流入して前記蓄冷熱材を蓄冷熱するコンテナ冷熱装置の表示制御方法であって、前記コンテナに対する蓄冷熱処理及び前記コンテナ内のバッテリの充電が共に完了した場合、前記蓄冷熱処理が完了した旨の表示を行うことを特徴とする。
【００１２】
また、本発明にかかるコンテナ冷熱装置のコンテナ表示制御方法は、上記の発明において、前記冷熱配管を介した前記コンテナの蓄冷熱処理の開始後、前記コンテナ内のバッテリの充電を開始したバッテリの充電情報を取得し、前記コンテナに対する蓄冷熱処理及び前記バッテリの充電が共に完了した場合、前記蓄冷熱処理が完了した旨の表示を行うことを特徴とする。
【発明の効果】
【００１３】
本発明によれば、コンテナに対する蓄冷熱処理及びコンテナ内のバッテリの充電が共に完了した場合、蓄冷熱処理が完了した旨の表示を行うようにしている。これにより、操作者は、冷熱処理の完了時にバッテリの充電も完了している商品運搬可能なコンテナとして確実に把握することができる。
【図面の簡単な説明】
【００１４】
【図１】図１は、本発明の実施の形態であるコンテナ冷熱装置が冷熱対象とするコンテナを用いた物流サイクルの概要を示す模式図である。
【図２】図２は、配送センターにおけるコンテナ冷熱装置とコンテナとの接続状態及び構成を示すブロック図である。
【図３】図３は、図２に示した操作表示部の一例を示す図である。
【図４】図４は、断熱箱体の断面構造を示す断面図である。
【図５】図５は、本実施の形態のコンテナ冷熱装置の制御部による操作表示部に対する表示制御処理手順を示すフローチャートである。
【発明を実施するための形態】
【００１５】
以下、添付図面を参照してこの発明を実施するための形態について説明する。
【００１６】
（物流サイクルの概要）
まず、本発明の実施の形態であるコンテナ冷熱装置が冷熱対象とするコンテナを用いた物流サイクルの概要について説明する。図１は、本発明の実施の形態であるコンテナ冷熱装置が冷熱対象とするコンテナを用いた物流サイクルの概要を示す模式図である。図１に示すように、商品１０１が納入される複数の配送センター１１０と商品を陳列する店舗１２０との間で、再利用される複数のコンテナ１内に商品１０１が収納されてトラック１１１によって店舗１２０に配送され、空になったコンテナ１がトラック１１２によって配送センター１１０に返送される。なお、店舗１２０で空になったコンテナ１は他の配送センター１１０に返送されてもよい。
【００１７】
まず、配送センター１１０では、配送元から商品１０１が納入される。配送センター１１０では、その商品１０１を荷受けし、店舗別の仕分けを行う。仕分けされた商品１０１は、配送先の店舗１２０に送られるコンテナ１内に収納される。コンテナ１内は、商品１０１が収納される保冷熱空間が空であって冷熱材によって所望温度に保持されている。トラック１１１は、商品１０１が収納されたコンテナ１を積み込んで、配送先の店舗１２０に配送する。配送先の店舗１２０では、コンテナ１をトラック１１１から降ろし、コンテナ１内の商品１０１を取り出す。取り出された商品１０１は、ショーケースなどに陳列される。空になったコンテナ１は、店舗１２０内に一時保留される。配送したトラック１１１は、トラック１１２として前回、一時保留されていたコンテナ１を積載してコンテナ１を配送センター１１０に返送する。
【００１８】
ここで、店舗１２０には、情報収集装置３０が配置される。商品１０１が取り出されて空になったコンテナ１は、情報収集装置３０に通信接続される。情報収集装置３０は、コンテナ１が配送時に取得した温度履歴などのコンテナ履歴情報をコンテナ識別情報とともにネットワークＮを介して上位情報管理装置１３０に送出する。
【００１９】
一方、配送センター１１０には、情報収集装置３０とコンテナ冷熱装置４０とが配置される。トラック１１２によって返送された空のコンテナ１は、トラック１１２から降ろされると、情報収集装置３０およびコンテナ冷熱装置４０に接続される。情報収集装置３０は、商品１０１が収納されてから現在までの温度履歴を含むコンテナ履歴情報をコンテナ識別情報とともにコンテナ冷熱装置４０を介して取得し、ネットワークＮを介して上位情報管理装置１３０に送出する。コンテナ冷熱装置４０は、接続されたコンテナ１内に冷熱媒体を流入して蓄冷熱材を蓄冷熱し、保冷熱空間を所望温度にする。この所望温度に設定された空のコンテナ１は、再び商品１０１の配送のためのコンテナ１として再利用される。
【００２０】
ネットワークＮに接続された上位情報管理装置１３０は、配送センター１１０や店舗１２０の情報収集装置３０から送られたコンテナ履歴情報およびコンテナ識別情報を用いて、運搬された商品１０１の温度管理状態などを分析する。
【００２１】
（コンテナ冷熱装置の構成及び動作）
図２は、配送センター１１０におけるコンテナ冷熱装置４０とコンテナ１との接続状態及び構成を示すブロック図である。図２に示すように、コンテナ冷熱装置４０は、２つの冷熱ユニット４０ａ，４０ｂと制御部Ｃと操作表示部４４と記憶部４５とを有し、制御部Ｃと冷熱ユニット４０ａ，４０ｂは電源ケーブル４６を介して電源に接続されている。各冷熱ユニット４０ａ，４０ｂは、それぞれ冷熱回路４１ａ，４１ｂ及び冷熱制御部４３ａ，４３ｂを有する。
【００２２】
冷熱ユニット４０ａの冷熱回路４１ａは、２つのコンテナ１に、それぞれ冷熱配管Ｌ２ａ，Ｌ２ｂ及び各配管コネクタＣ２ａを介して接続される。また、冷熱ユニット４０ｂの冷熱回路４１ｂは、２つのコンテナ１に、それぞれ冷熱配管Ｌ２ｃ，Ｌ２ｄ及び各配管コネクタＣ２ａを介して接続される。
【００２３】
各冷熱回路４１ａ，４１ｂは、例えば、図示しない圧縮機、凝縮器、膨張弁、及び蒸発器等を備える公知の冷凍サイクル装置である。圧縮機（コンプレッサ）は、各冷熱回路４１ａ，４１ｂ内にコンプレッサモータ４２ａ，４２ｂを有する。各冷熱回路４１ａ，４１ｂは、冷熱制御部４３ａ，４３ｂの制御のもと、例えば、冷熱媒体を所望の温度域まで急速冷却し、この急速冷却された冷熱媒体を、各冷熱配管Ｌ２ａ，Ｌ２ｂ，Ｌ２ｃ，Ｌ２ｄを介して各コンテナ１の各冷熱器２１に供給する。各冷熱配管Ｌ２ａ，Ｌ２ｂ，Ｌ２ｃ，Ｌ２ｄは、それぞれ配管コネクタＣ２ｂを介して接続される。各冷熱器２１は、冷熱媒体と各畜冷熱材２２との熱交換によって蓄冷熱材２２に対する畜冷熱を行い、各畜冷熱材２２によって保冷熱空間２３は所望温度に維持される。なお、各冷熱回路４１ａ，４１ｂには、冷熱媒体を流通させるための図示しない循環ポンプが設けられている。また、冷熱媒体は、水や不凍液等、いわゆるブラインと呼ばれる熱媒体である。
【００２４】
各冷熱配管Ｌ２ａ，Ｌ２ｂ，Ｌ２ｃ，Ｌ２ｄには、通信接続線Ｌ１ａ，Ｌ１ｂ，Ｌ１ｃ，Ｌ１ｄの一部分が一体化されている。通信接続線Ｌ１ａ，Ｌ１ｂ，Ｌ１ｃ，Ｌ１ｄは、それぞれ制御コネクタＣ１ａを介してコンテナ１側の制御コネクタＣ１ｂに接続される。
【００２５】
操作表示部４４は、例えば、図３に示した操作案内パネルであり、コンテナ冷熱装置４０の制御状態を表示するとともに制御操作を受け付ける。操作表示部４４は、冷熱中ランプ５１（５１ａ〜５１ｄ）、ポンプダウン（冷熱媒体回収処理）中ランプ５２（５２ａ〜５２ｄ）、異常ランプ５３（５３ａ〜５３ｄ）、動作モードスイッチ５４（５４ａ〜５４ｄ）、操作スイッチ５５（５５ａ，５５ｃ）を有する。図２において、「右側」は、冷熱配管Ｌ２ａ，Ｌ２ｂが接続されるコンテナ１を意味し、「左側」は、冷熱配管Ｌ２ｃ，Ｌ２ｄが接続されるコンテナ１を意味する。また、「左側」の「Ａ側」、「左側」の「Ｂ側」、「右側」の「Ｂ側」、「右側」のＡ側」は、それぞれ冷熱配管Ｌ２ａ，Ｌ２ｂ，Ｌ２ｃ，Ｌ２ｄが接続されるコンテナ１を意味する。例えば、冷熱中ランプ５１ａ、ポンプダウン中ランプ５２ａ、異常ランプ５３ａ、動作モードスイッチ５４ａは、冷熱配管Ｌ２ａが接続されるコンテナ１の状態を表示する。なお、操作スイッチ５５ａは、冷熱配管Ｌ２ａ，Ｌ２ｂが接続されるコンテナ１に対するものであり、操作スイッチ５５ｃは、冷熱配管Ｌ２ｃ，Ｌ２ｄが接続されるコンテナ１に対するものである。なお、電源ランプ５０は、電源ライン４６が電源に接続された場合に点灯される。
【００２６】
冷熱中ランプ５１は、コンテナ１に対する冷熱処理中である場合に、緑色で点滅表示され、それ以外は緑色で点灯表示される。ポンプダウン中ランプ５２は、コンテナ１に対する冷熱媒体回収処理中である場合に、緑色で点滅表示され、それ以外は緑色で点灯表示される。異常ランプ５３は、接続されるコンテナ１に対する冷熱不良や、冷熱ユニット４１ａ，４１ｂに障害が発生した場合などの異常が発生時に赤色で点滅表示され、その他の場合、赤色で点灯表示される。動作モードスイッチ５４は、冷熱処理モードとポンプダウン処理モードとを選択するスイッチであり、スライドスイッチによって実現される。操作スイッチ５５は、冷熱ユニット４１ａ，４１ｂを用いる選択を行うスイッチである。例えば、操作スイッチ５５ａをオンにすると、「左側」の冷熱中ランプ５１ａ，５１ｂ、ポンプダウン中ランプ５２ａ，５２ｂ、異常ランプ５３ａ，５３ｂがすべて点灯する。
【００２７】
制御部Ｃは、各冷熱制御部４３ａ，４３ｂを介して冷熱回路４１ａ，４１ｂを制御する。制御部Ｃには、操作表示部４４、記憶部４５、通信接続線Ｌ１ａ，Ｌ１ｂ，Ｌ１ｃ，Ｌ１ｄが接続される。そして、制御部Ｃは、操作表示部４４及び通信接続線Ｌ１ａ，Ｌ１ｂ，Ｌ１ｃ，Ｌ１ｄから入力される情報をもとに、冷熱回路４１ａ，４１ｂを制御し、操作表示部４４にコンテナ１及びコンテナ冷熱装置４０の状態を表示する。制御部Ｃによる操作表示部４４の表示制御処理などの詳細制御については後述する。
【００２８】
（コンテナの構成及び動作）
一方、コンテナ１は、生鮮食品や医薬品などの保冷熱対象を収納する保冷熱空間２３を形成した断熱箱体である。コンテナ１には、保冷熱空間２３の前面開口を開閉する、断熱性能を有した開閉扉２４が設けられている。開閉扉２４の開閉は、開閉センサ２７によって検出される。保冷熱空間２３内には、保冷熱空間２３内の温度を検出する温度センサ２５が複数、配置されている。また、コンテナ１の下部には、キャスター２８が設けられ、コンテナ１の移動を容易にしている。
【００２９】
断熱箱体には、上述した冷熱器２１と蓄冷熱材２２とが配置される。冷熱器２１は、蓄冷熱材２２を冷却・凍結、あるいは蓄熱させるものである。冷熱器２は、冷熱媒体が流通する銅管などの金属配管を蛇行形状や渦巻形状などとし、天壁や側面等の平坦な内面に密着配置したものである。
【００３０】
蓄冷熱材２２は、箱内を冷却あるいは蓄熱させるものである。蓄冷熱材２２は、例えば、例えば、ポリエチレン等の樹脂製のケース内に、水及びゲル化剤等を封入した公知のものを用いればよく、例えば、平板状に形成される。
【００３１】
図４は、断熱箱体の断面構造を示す断面図である。図４に示すように、箱外から箱内に向けて、順次、断熱材６１、真空断熱材６２、冷熱器２１、蓄冷熱材２２、金属板６３が重ねられている。断熱材６１は、例えば、発泡スチロールや発泡ウレタンによって形成される。真空断熱材６２は、例えば、芯材をラミネートフィルムによって被覆し、内部を真空状態に減圧して封止した公知のものを用いればよい。真空断熱材６２は、上記した発泡スチロール等の一般的な断熱材に比べ、極めて高い断熱性能を有する。金属板６３は、保冷熱空間２３を画成するものあり、蓄冷熱材２２に接触するように配置される。この金属板６３は、例えば、ステンレス板によって形成される。なお、図示していないが、一面が蓄冷熱材２２の外面側に密着配置され、他面が冷熱器２１の内面側に密着配置され金属板を設けることが好ましい。この金属板は、熱伝導率の良好な金属、例えば、アルミニウムや銅の板材によって形成され、冷熱器２１からの冷熱を蓄冷熱材２２へと効率よく伝達することが可能となる。
【００３２】
コンテナ１の情報管理部１０は、各通信コネクタＣ１ａ、電源供給線を含む通信接続線Ｌ１ａ〜Ｌ１ｄを介してコンテナ冷熱装置４０に接続される。なお、通信コネクタＣ１ａは、コンテナ１の通信コネクタＣ１ｂに接続される。情報管理部１０は、制御部１３及び記憶部１４を有する。制御部１３は、コンテナ冷熱装置４０に接続された場合、電源供給線を介してバッテリ１１の充電を開始するとともに、バッテリ１１の充電量などの充電状態情報をコンテナ冷熱装置４０側に送信する。
【００３３】
また、制御部１３は、通信接続線Ｌ１ａ〜Ｌ１ｄの接続前に順次、温度センサ２５が検出した温度を時間経過とともに記録した温度履歴情報をコンテナ履歴情報１６の１つとして保持し、さらに開閉センサ２７の開閉状態を時間経過とともに記録した開閉履歴情報をコンテナ履歴情報１６の１つとして保持する。そして、制御部１３は、コンテナ冷熱装置４０が接続された場合、コンテナ識別情報１５とともに、これら保持したコンテナ履歴情報１６をコンテナ冷熱装置４０に送出する。
【００３４】
また、制御部１３は、制御コネクタＣ１ｂに制御コネクタＣ１ａが接続された場合、通信接続線Ｌ１ａ〜Ｌ１ｄが接続された旨を示す接続情報をコンテナ冷熱装置４０側に送信する。なお、制御コネクタＣ１ｂに制御コネクタＣ１ａが接続された場合に、制御コネクタＣ１ｂ側に電気信号を折り返す構造をもたせてもよい。この場合、制御部１３が、通信接続線Ｌ１ａ〜Ｌ１ｄが接続された旨を示す接続情報をコンテナ冷熱装置４０側に送信しなくても、コンテナ冷熱装置４０側で通信接続線Ｌ１ａ〜Ｌ１ｄが接続されたことを確認することができる。
【００３５】
また、制御部１３は、配管コネクタＣ２ｂに配管コネクタＣ２ａが接続された場合、電磁弁２６を開にし、配管コネクタＣ２ａが取り外された場合、電磁弁２６を閉にする制御を行う。制御部１３は、通信接続線Ｌ１ａ〜Ｌ１ｄを介して保冷熱空間２３内の温度情報をコンテナ冷熱装置４０側に送信することが好ましい。この温度情報は、コンテナ冷熱装置４０による冷熱処理時のフィードバック制御情報として用いることができる。
【００３６】
なお、コンテナ１には、ＬＥＤや液晶などの表示部１２を有し、例えば、制御部１３は、保冷熱空間２３内の温度が所定時間、所望温度を保持した場合に、ＬＥＤを緑色点灯し、所望温度を保持していない場合に、ＬＥＤを赤色点灯する。
【００３７】
（制御部Ｃによる表示制御処理）
ここで、図５に示すフローチャートを参照して、コンテナ冷熱装置４０の制御部Ｃによる操作表示部４４に対する表示制御処理手順について説明する。図５に示すように、制御部Ｃは、操作スイッチ５５がＯＮになっているか否かを判断する（ステップＳ１０１）。操作スイッチ５５がＯＮになっていない場合（ステップＳ１０１，Ｎｏ）は、この判断処理を繰り返し、操作スイッチ５５がＯＮになっている場合（ステップＳ１０１，Ｙｅｓ）は、冷熱中ランプ５１を赤色に点灯表示する（ステップＳ１０２）。
【００３８】
その後、冷熱配管Ｌ２ａ〜Ｌ２ｄ及び通信接続線Ｌ１ａ〜Ｌ１ｄの対が接続されているか否かを判断する（ステップＳ１０３）。冷熱配管Ｌ２ａ〜Ｌ２ｄの接続は、配管コネクタＣ２ａ，Ｃ２ｂの接続であり、通信接続線Ｌ１ａ〜Ｌ１ｄの接続は、通信コネクタＣ１ａ，Ｃ１ｂの接続である。冷熱配管Ｌ２ａ〜Ｌ２ｄ及び通信接続線Ｌ１ａ〜Ｌ１ｄの対が接続されていない場合（ステップＳ１０３，Ｎｏ）には、この判断処理を繰り返し、冷熱配管Ｌ２ａ〜Ｌ２ｄ及び通信接続線Ｌ１ａ〜Ｌ１ｄの対が接続されている場合（ステップＳ１０３，Ｙｅｓ）には、対応する冷熱中ランプ５１を緑色で点滅表示する（ステップＳ１０４）。
【００３９】
その後、コンテナ１から送信されたコンテナ識別情報１５とコンテナ履歴情報１６とを情報収集装置３０に転送する転送処理を行うとともに、バッテリ１１の充電情報を順次取得する（ステップＳ１０５）。その後、冷熱処理の完了及びバッテリ１１の充電完了があったか否かを判断する（ステップＳ１０６）。冷熱処理の完了及びバッテリ１１の充電完了がない場合（ステップＳ１０６，Ｎｏ）には、ステップＳ１０５に移行し、冷熱処理の完了及びバッテリ１１の充電完了があった場合（ステップＳ１０６，Ｙｅｓ）には、冷熱中ランプ５１を緑色で点灯表示し（ステップＳ１０７）、本処理を終了する。
【００４０】
本実施の形態では、冷熱処理中に通信接続線Ｌ１ａ〜Ｌ１ｄを介してバッテリ１１の充電情報を取得し、冷熱処理の完了のみでなく、バッテリ１１の充電完了を条件に、冷熱処理が完了したことを冷熱中ランプ５１で表示するようにしている。これによって、操作者は、バッテリ１１の充電が完了したコンテナ１を商品運搬可能なコンテナ１として確実に把握することができ、商品運搬に用いるコンテナ１に対する確実な準備処理を行うことができる。
【００４１】
また、本実施の形態では、コンテナ冷熱装置４０側で、バッテリ１１の充電完了を含む冷熱処理完了を一括表示するようにしているので、冷熱処理の操作者による冷熱処理完了確認が容易になる。もちろん、各コンテナ１側にも冷熱処理完了の表示を行うようにしてもよい。
【００４２】
なお、上述した操作表示部４４では、冷熱中ランプ５１の点灯表示と点滅表示とを切り替えるようにしていたが、冷熱処理中である旨や、バッテリ１１の充電完了を条件とした冷熱処理が完了した旨を操作者が認識できる表示であればよい。また、冷熱中ランプ５１の点滅表示の点滅速度を変化させて冷熱処理中と冷熱処理完了とを報知するようにしてもよい。例えば、点滅速度が速い場合を冷熱処理中とし、点滅速度が遅い場合に冷熱処理完了としてもよい。
【００４３】
さらに、上述した実施の形態では、通信接続線Ｌ１ａ〜Ｌ１ｄを介してバッテリ１１の充電情報を逐次取得するようにしていたが、これに限らず、コンテナ１側から充電完了通知のみを取得するようにしてもよい。
【符号の説明】
【００４４】
１  コンテナ
１０  情報管理部
１１  バッテリ
１２  表示部
１３，Ｃ  制御部
１４，４５  記憶部
１５  コンテナ識別情報
１６  コンテナ履歴情報
２１  冷熱器
２２  蓄冷熱材
２３  保冷熱空間
２４  開閉扉
２５  温度センサ
２６  電磁弁
２７  開閉センサ
２８  キャスター
３０  情報収集装置
４０  コンテナ冷熱装置
４０ａ，４０ｂ  冷熱ユニット
４１ａ，４１ｂ  冷熱回路
４２ａ，４２ｂ  コンプレッサモータ
４３ａ，４３ｂ  冷熱制御部
４４  操作表示部
４６  電源ケーブル
５０  電源ランプ
５１，５１ａ〜５１ｄ  冷熱中ランプ
５２，５２ａ〜５２ｄ  ポンプダウン中ランプ
５３，５３ａ〜５３ｄ  異常ランプ
５４，５４ａ〜５４ｄ  動作モードスイッチ
５５，５５ａ，５５ｃｃ  操作スイッチ
６１  断熱材
６２  真空断熱材
６３  金属板
１０１  商品
１１０  配送センター
１１１，１１２  トラック
１２０  店舗
１３０  上位情報管理装置
Ｃ１ａ，Ｃ１ｂ  通信コネクタ
Ｃ２ａ，Ｃ２ｂ  配管コネクタ
Ｌ２ａ，Ｌ２ｂ，Ｌ２ｃ，Ｌ２ｄ  冷熱配管
Ｌ１ａ，Ｌ１ｂ，Ｌ１ｃ，Ｌ１ｄ  通信接続線
Ｎ  ネットワーク
【図１】
2016080244.tif 000003
【図２】
2016080244.tif 000004
【図３】
2016080244.tif 000005
【図４】
2016080244.tif 000006
【図５】
2016080244.tif 000007